(57)【要約】      （修正有）【課題】タンスや書棚等の身近な設置物を設置する際に発生するガタツキを簡単に無くすことができることを提供する。【解決手段】高さ調整盤は、円形盤の円周に沿って円形盤１の面上に、該円形盤の厚み以下の寸法の高さで円弧形台を設け、円形盤の中心を対称点として点対称となる位置に円弧形台２の上面と合同な円弧形切欠部３を設けて形成する。さらに高さ調整盤１は、該正方形盤の一頂点の辺に沿って正方形盤の面上に、該正方形盤の厚み以下の寸法の高さで六角形台を、更に残り三頂点の内、向かい合う二頂点のそれぞれに、正方形盤の面上に正方形盤の厚み以下の寸法の高さで合同な四角形台６及び合同なＶ字形切欠部７を一対で設け、残り一頂点に六角形台の上面と合同なＷ字形切欠部を設ける。四角形台とＶ字形切欠部を一対とした二組の位置関係は、六角形台を設けた頂点とＷ字形切欠部を設けた頂点とを結ぶ対角線を対称軸とした線対称の関係に設けて形成する。【選択図】図１
2014181815.tif 000002
【特許請求の範囲】
【請求項１】
円を基本形とした円形盤１の円周に沿って円形盤１の面上に、該円形盤１の厚み以下の寸法の高さで円弧形台２を設け、更に該円弧形台２が円形盤１の中心を対称点として点対称となる位置に円弧形台２の上面と合同な円弧形切欠部３を設けて形成する高さ調整盤。
【請求項２】
正方形を基本とした正方形盤４の一頂点の辺に沿って正方形盤４の面上に該正方形盤４の厚み以下の寸法の高さで六角形台５を、更に残り三頂点の内、向かい合う二頂点のそれぞれに、辺に沿って正方形盤４の面上に正方形盤４の厚み以下の寸法の高さで合同な四角形台６及び合同なＶ字形切欠部７を一対で設け、更に残り一頂点に六角形台５の上面と合同なＷ字形切欠部８を設ける。四角形台６とＶ字形切欠部７を一対とした二組の位置関係は、六角形台５を設けた頂点とＷ字形切欠部８を設けた頂点とを結ぶ対角線を対称軸とした線対称の関係に設けて形成する請求項１記載の高さ調整盤。
【発明の詳細な説明】
【発明の詳細な説明】
【技術分野】
【０００１】  本発明は、設置物を設置する際に生じる高低差を調整する高さ調整に関する。
【背景技術】
【０００２】  従来、設置物に調整ネジを設置物の最下部に数箇所設け、ネジを回すことにより各箇所で生じる高低差の違いを調整している。【０００３】  また、調整ネジが設けていない設置物にあっては、適当な厚みにした古新聞や古雑誌等を重ね合わせ、設置物の下に敷いている。
【発明が解決しようとする課題】
【０００４】  従来の調整ネジを設ける場合にあっては、設置物の製造過程で設けるため、製造コスト増の要因の一つである。また設置物の種類によっては調整ネジを設けられない場合がある。
【０００５】  身近な設置物、例えばタンスや本箱等の設置物において、水平に設置したい場合や地震時の転倒防止のために少し後ろ倒しに設置したい場合等、身近に解決できるものが無かった。
【０００６】  本発明は、上述した技術背景に鑑み、薄盤を数枚ずれなく重ね合わせることにより高さを簡単に調整でき得ることを提供するものである。
【課題を解決するための手段】
【０００７】  上記課題を解決するために、請求項１記載に係る高さ調整盤は次のように構成した。
【０００８】  請求項１：円を基本形とした薄板の円形盤の円周に沿った該円形盤の面上に、該円形盤の厚み以下の寸法の高さで円弧形台を少なくとも１箇所以上設ける。
【０００９】  更に、該円弧形台が円形盤の中心を対称点として点対称となる位置に円弧形台がそれぞれ嵌合でき得る同数の円弧形台の上面と合同な円弧形切欠部を設けて形成した。
【００１０】  また、請求項２記載にかかる高さ調整盤は次のように構成した。
【００１１】  請求項２：請求項１記載の高さ調整盤において、正方形を基本とした正方形盤の一頂点に、辺に沿って正方形盤の面上に該正方形盤の厚み以下の寸法の高さで六角形台を設ける。
【００１２】  更に残り三頂点の内、向かい合う二頂点のそれぞれに、辺に沿って正方形盤の面上に正方形盤の厚み以下の寸法の高さで合同な四角形台及び合同なＶ字形切欠部を一対で設ける。
【００１３】  残り一頂点に前述した六角形台の上面と合同なＷ字形切欠部を設ける。
【００１４】  四角形台とＶ字形切欠部を一対とした二組の位置関係は六角形台を設けた頂点とＷ字形切欠部を設けた頂点とを結ぶ対角線を対称軸とした線対称の関係に設けて形成した。
【発明の効果】
【００１５】  本発明に係る高さ調整盤は材質の種類を問わず硬質な薄板で製作した調整盤であり、一枚、二枚・・・と必要に応じて重ね合わせて所要厚みにし、設置物の下に敷いて簡単に高さ調節ができ得る。
【００１６】  また、調整盤を複数枚重ね合わせた場合、一方の円形盤に設けた円弧形台が他方の円弧形盤に設けた円弧形切欠部に嵌合するため、重ね合う円形盤にずれを起こすことなく必要高さを得ることができる。
【００１７】  構造が頗る簡単であるため安価に製作でき、一般家庭で身近に取扱ができる。
【００１８】  円形盤の代わりに正方形盤にした場合においても効果は同様である。
【図面の簡単な説明】
【００１９】
【図１】  本発名にかかる円形盤の正面図である。
【図２】  図１における平面図である。
【図３】  図１における底面図である。
【図４】  図１における背面図である。
【図５】  図１における右側面図である。
【図６】  図１における左側面図である。
【図７】  本発名にかかる円形盤を２枚重ね合わせた場合の正面図である。
【図８】  図７におけるＡ−Ａ線断面図である。
【図９】  図７におけるＢ−Ｂ線断面図である。
【図１０】  本発名にかかる正方形盤の正面図である。
【図１１】  図１０における平面図である。
【図１２】  図１０における底面図である。
【図１３】  図１０における背面図である。
【図１４】  図１０における左側面図である。
【図１５】  図１０における右側面図である。
【図１６】  本発名にかかる正方形盤を２枚重ね合わせた場合の正面図である。
【図１７】  図１６におけるＣ−Ｃ線断面図である。
【図１８】  図１６におけるＤ−Ｄ線断面図である。
【図１９】  円形盤を２枚重ね合わせた実施例平面図である。
【図２０】  円形盤を２枚重ね合わせた実施例側面図である。
【図２１】  正方形盤を２枚重ね合わせた実施例平面図である。
【図２２】  正方形盤を２枚重ね合わせた実施例側面図である。
【発明を実施するための形態】
【００２０】  以下、好ましい発名の一実施形態につき図面を参照しながら述べる。
【００２１】  本発名に係る高さ調整盤の特徴は、薄板を基盤とし、数枚重ね合わすことにより高さを調整するものであり、以下に詳述する。
【００２２】  図１においては本実施形態に係る高さ調整盤である。円を基本形とする薄板の円形盤１の円周に沿って該円形盤１の面上に、円形盤１の厚み以下の寸法の高さで円弧形台２を設け、更に円弧形台２が円形盤１の中心を対称点として点対称となる位置に円弧形台２が嵌合でき得る円弧形切欠部３を設けている。
【００２３】  前述円形盤１において、円弧形台２並びに円弧形切欠部３を設ける数はそれぞれ１箇所以上で、円弧形台２と円弧形切欠部３の数は同数である。
【００２４】  図７においては、円形盤１と円形盤１’の２枚重ね合わせたときの状態で、一方の円弧形台２’は他方の円弧盤１の円弧切欠部３に嵌合する。以下３枚、４枚・・・と重ね合わせた場合も同様である。
【００２５】  図８、図９は図７のそれぞれの断面図で、円弧形台２’が円弧形切欠部３に嵌合した状態である。
【００２６】  図１０においては前述した円形盤１に代わり正方形盤４で形成したものであり、以下に詳述する。
【００２７】  正方形を基本とした正方形盤４の一頂点に、辺に沿って該正方形盤の面上に正方形盤４の厚み以下の寸法の高さで六角形台５を設ける。
【００２８】  更に残り三頂点の内、向かい合う二頂点のそれぞれに、辺に沿って正方形盤４の面上に正方形盤４の厚み以下の寸法の高さで合同な四角形台６及び合同なＶ字形切欠部７を一対で設ける。
【００２９】  残り一頂点に六角形台５の上面と合同なＷ字形切欠部を設ける。
【００３０】  四角形台６とＶ字形切欠部７を一対とした二組の位置関係は、六角形台５を設けた頂点とＷ字形切欠部８を設けた頂点とを結ぶ対角線を対称軸とした線対称の関係に設けて形成する。
【００３１】  図１６においては、正方形盤４と正方形盤４’の２枚重ね合わせたときの状態で、一方の２箇所ある四角形台６’は他方の正方形盤４のＶ字形切欠部７に、六角形台５’は他方の正方形盤４のＷ字形切欠部８に嵌合する。以下３枚、４枚・・・と重ね合わせても同様である。
【符号の説明】
【００３２】１、１’  円形盤
２、２’  円弧形台
３、３’  円弧形切欠部
４、４’  正方形盤
５、５’  六角形台
６、６’  四角形台
７        Ｖ字形切欠部
８、８’  Ｗ字形切欠部
９        設置物
１０      被設置面
【図１】
2014181815.tif 000003
【図２】
2014181815.tif 000004
【図３】
2014181815.tif 000005
【図４】
2014181815.tif 000006
【図５】
2014181815.tif 000007
【図６】
2014181815.tif 000008
【図７】
2014181815.tif 000009
【図８】
2014181815.tif 000010
【図９】
2014181815.tif 000011
【図１０】
2014181815.tif 000012
【図１１】
2014181815.tif 000013
【図１２】
2014181815.tif 000014
【図１３】
2014181815.tif 000015
【図１４】
2014181815.tif 000016
【図１５】
2014181815.tif 000017
【図１６】
2014181815.tif 000018
【図１７】
2014181815.tif 000019
【図１８】
2014181815.tif 000020
【図１９】
2014181815.tif 000021
【図２０】
2014181815.tif 000022
【図２１】
2014181815.tif 000023
【図２２】
2014181815.tif 000024